(57)【特許請求の範囲】
【請求項１】
建物の二階以上のコンクリート製壁躯体の下端部に配置され、外側の側板と内側の側板と上記両側板の下端部を連結する天板とを備え、全体が水平方向に湾曲した壁下端水切り構造において、上記両側板の互いに向き合う側面の下端の長手方向に沿って嵌合溝を形成し、上記両側板と天板とをそれぞれ水平方向に湾曲させ、かつ上記天板の両側縁を上記両側板の嵌合溝に嵌合させるとともに、上記両側板を該両側板の上縁部にその両端が固定された連結材で連結したことを特徴とする壁下端水切り構造。
【請求項２】
上記連結材をコの字状に形成し、その両側部の両端を上記両側板に固定し、中央の底部を上記天板の上面に当接させたことを特徴とする請求項１に記載の壁下端水切り構造。
【発明の詳細な説明】
【技術分野】
【０００１】
本発明は、建物の二階以上の壁躯体の下端部に配置された水切り構造で、特に上記壁躯体がコンクリート製で、その下端部が水平方向に湾曲している場合に対応する壁下端水切り構造に関する。
【背景技術】
【０００２】
一般に、建物の二階以上のコンクリート製の壁躯体の下端部には、上記壁躯体の表面に沿って流れ落ちた雨水を効率的に水切りするために、アルミニウム又はその合金の押出型材から構成された下端水切り材が取り付けられている。下端水切り材は壁躯体の下端部の下方に、上記下端部を覆うように配置されている。
【０００３】
通常の場合は、壁躯体は真直状に形成されているから、下端水切り材の押出型材も、一体型で対応することができる。
【０００４】
ところが、壁躯体が水平方向に湾曲している構造においては、下端水切り材もそれに応じて湾曲させなければならない。
【０００５】
このような例に対応する構成として、例えば特許文献１のように、構成部材を分割し、各部材を溶接したり接着したりするものが知られている。
【特許文献１】特開平６−１５８８０５号公報
【特許文献２】特開平９−７２０５５号公報
【発明の開示】
【発明が解決しようとする課題】
【０００６】
しかしながら、分割された構成部材を溶接するのは、作業が面倒であり、特にアルミニウムをきれいに溶接するのは熟練者でも難しいほか、溶接部分が波形になって全体のラインの美的外観を損ないやすいという問題点があった。また、接着の場合も作業が面倒であるという欠点がある。特に、下端水切り材は、下から良く見えるので外観体裁を良くすることがなによりも重要である。
【０００７】
本発明は上記問題点を解消し、特に下から見たときの外観が良好であるとともに、作業性もよい壁下端水切り構造を提供することをその課題とする。
【課題を解決するための手段】
【０００８】
前記課題を解決するため、請求項１に係る発明は、建物の二階以上のコンクリート製壁躯体の下端部に配置され、外側の側板と内側の側板と上記両側板の下端部を連結する天板とを備え、全体が水平方向に湾曲した壁下端水切り構造において、上記両側板の互いに向き合う側面の下端の長手方向に沿って嵌合溝を形成し、上記両側板と天板とをそれぞれ水平方向に湾曲させ、かつ上記天板の両側縁を上記両側板の嵌合溝に嵌合させるとともに、上記両側板を該両側板の上縁部にその両端が固定された連結材で連結したことを特徴とする。
【０００９】
請求項２に係る発明は、請求項１において、上記連結材をコの字状に形成し、その両側部の両端を上記両側板に固定し、中央の底部を上記天板の上面に当接させたことを特徴とする。
【発明の効果】
【００１０】
請求項１に係る発明によれば、壁下端水切り材は、それぞれ水平方向に湾曲した外側の側板と内側の側板と天板及び連結材から分割構成され、上記両側板の嵌合溝に天板の両側縁を嵌合させ、上記内外両側板を連結材で連結したものであるから、一体の押出型材を水平方向に湾曲する構成に比べ、壁下端水切り構造を簡単に製作することができるとともに、嵌合部のラインがきれいに見える。また、内外両側板を該両側板の上縁部に両端を固定した連結材で連結したので、下からはリベットやネジが見えず、下からの外観は良好である。
【００１１】
また、連結材を介して内外両側板を連結するためには、単にリベット止めすればよいので、分割された構成部材を溶接する方式に比べ、作業性がよく、低コストで供給でき、外観体裁も良好である。
【００１２】
請求項２に係る発明によれば、連結材の中央の底部を天板の上面に当接させているので、天板の変形を抑えることができる。
【発明を実施するための最良の形態】
【００１３】
図１は壁下端水切り材とその周辺の断面図である。同図において符号１は壁躯体で、二階以上のコンクリート製壁躯体１の下端部を示す。上記壁躯体１はＬ形構造材２に支持されている。この構造材２には取付金具３を介して壁下端水切り材４が取り付けられている。
【００１４】
なお、上記壁躯体１は水平方向にカーブしているものとする。
【００１５】
取付金具３は取付ベース３ａとブラケット３ｂとから構成されている。
【００１６】
取付ベース３ａは図２に示されるように、短尺の部材で、上下端からそれぞれ鉤片５と取付片６を直角に突出形成した板状の垂直金具７と、一端から鉤片８を突出形成した水平金具１０とをＬ字形に組み、水平金具１０の他端上に垂直金具７の取付片６を重合させ、図１のようにネジ１２により一体に結合したもので、垂直金具７と水平金具１０の中間からは間隔保持片１３が突出形成されている。そして、取付ベース３ａは、垂直金具７と水平金具１０の鉤片５、８を上記Ｌ形構造材２の側端部に係止させることによって、構造材２の長手に沿って間隔をおいて取り付け固定されている。
【００１７】
ブラケット３ｂは短尺の部材で、上片１４と中央片１５と下片１６とをＺ字形に形成してなるもので、中央片１５はネジ１７によって上記水平金具１０にネジ止めされている。
【００１８】
次に、壁下端水切り材４は、図３に示されるように、それぞれ長尺の外側の側板１８と内側の側板２０と上記両側板１８、２０の下端部を連結する天板２１とから構成され、上記両側板１８、２０の上縁部を複数の短尺の連結材１１によって連結することにより一体的に結合されている。
【００１９】
外側の側板１８は、垂直板部２２の上下に上板部２３と下板部２４とをコ字形に形成し、さらに上記上板部２３の先端から上方に上縁部２５を形成したものである。なお、下板部２４の上部にはその長手方向に沿って嵌合溝２６が形成されている。
【００２０】
内側の側板２０も同様に、垂直板部２７の上下に上板部２８と下板部２９とをコ字形に形成し、さらに上記上板部２８の先端から上方に上縁部３０を形成したものである。なお、内側の側板２０の高さは外側の側板１８よりも低く、内側の側板２０の上縁部３０の上端は、外側の側板１８の上板部２３の高さよりも少しだけ低く形成されている。また、内側の側板２０の下板部２９の上部にはその長手方向に沿って嵌合溝３１が形成されている。この嵌合溝３１は上記外側の側板１８の嵌合溝２６と互いに向き合うように形成されている。
【００２１】
次に、上記内外側の側板２０、１８は、図４に示されるように、それぞれ水平方向に湾曲形成されている。湾曲させるための装置としては、前掲特許文献１に示されるようなものを使用すればよい。
【００２２】
さらに、天板２１は平板をその幅方向に湾曲形成したもので、外側縁部３２は外側の側板１８の湾曲形状に即し、また内側縁部３３は内側の側板２０の湾曲形状に即した形状となっている。天板２１の湾曲形状は平板を切り出すことによって簡単に得ることができる。
【００２３】
連結材１１は金属製の短尺の部材で、両側の立上り部１１ａ、１１ｂと底部１１ｃとからコ字状に形成されている。
【００２４】
以上のように、壁下端水切り材４は、図３に示されるように、上記天板２１と上記内外の両側板２０、１８とを、上記天板２１の両側縁３３、３２を上記両側板２０、１８の嵌合溝３１、２６に嵌合させるとともに、上記両側板２０、１８の上縁部３０、２５に連結材１１の立上り部１１ａ、１１ｂをリベット３４で固定することにより構成されている。
【００２５】
なお、このとき連結材１１の中央の底部１１ｃは上記天板２１の上面に当接している。ただし、天板２１が肉厚で十分な剛性を有しているときは、上記底部１１ｃを天板２１に当接させる必要はない。
【００２６】
次に、上記壁下端水切り材４を上記取付金具３に取り付けるときは、図１に示されるように、予め壁躯体１の下部に取り付けられた取付金具３の下から上記壁下端水切り材４を押し上げ、取付金具３のブラケット３ｂの下片１６と上片１４の外側を上記内外の上縁部３０、２５に当接し、ネジ３５によって固定すればよい。
【００２７】
なお、上記ブラケット３ｂと連結材１１とは、図４のように、互いに同じ位置にならないよう、取付位置をずらすように配置される。
【００２８】
最後に、壁躯体１の屋外側の下端と外側の側板１８の上板部２３との間にコーキング材３６を打ち、内側の側板２０の上板部２８の上面には天井板３７を支持させればよい。コーキング材３６によりビス等の頭を隠すことができる。
【００２９】
上述のように、壁下端水切り材４は、それぞれ水平方向に湾曲した外側の側板１８と内側の側板２０と天板２１及び連結材１１から分割構成され、上記両側板２０、１８の嵌合溝３１、２６に天板２１の両側縁を嵌合させ、上記内外両側板２０、１８を連結材１１で連結したものであるから、一体の押出型材を水平方向に湾曲する構成に比べ、壁下端水切り材４を簡単に製作することができるとともに、外観体裁も良好である。
【００３０】
また、連結材１１を介して内外両側板２０、１８を連結するためには、単にリベット止めすればよいので、分割された構成部材を溶接する方式に比べ、作業が簡単である。
【００３１】
さらに、内外両側板２０、１８を連結するため、コの字状の連結材１１を上記両側板２０、１８の上縁部３０、２５に固定したので、下からはネジ３５が見えない。したがって、下からの外観も良好である。
【００３２】
さらにまた、連結材１１の中央の底部１１ｃを天板２１の上面に当接させているので、天板２１の変形を抑えることができる。
【図面の簡単な説明】
【００３３】
【図１】本発明に係る壁下端水切り構造の断面図である。
【図２】取付ベースの斜視図である。
【図３】壁下端水切り材の断面図である。
【図４】壁下端水切り材の一部の斜視図である。
【符号の説明】
【００３４】
１  壁躯体
１１  連結材
１８  外側の側板
２０  内側の側板
２１  天板
２６、３１  嵌合溝
【図１】
0004509017.tif 000002
【図２】
0004509017.tif 000003
【図３】
0004509017.tif 000004
【図４】
0004509017.tif 000005